(57)【要約】      （修正有）【課題】医薬品による分子標的療法などを受けている患者において出現するＡＤＡｓを、より簡便に且つ正確に測定する方法を提供する。【解決手段】以下の工程（１）〜（４）を含む、被測定検体中のＡＤＡｓの測定方法。（１）ＡＤＡｓ体の被測定検体を含む試料を準備する工程であって、ＡＤＡｓの被測定検体に当該医薬品を添加して、医薬品−ＡＤＡｓ免疫複合体が形成された試料を調製することを含む工程、（２）補体Ｃ１ｑ、抗Ｃ３ｄ抗体又は抗Ｃ１ｑ抗体を固相化した担体に、工程（１）で調製した試料を接触させる工程、（３）工程（２）で作製された固相担体に、前記ＡＤＡｓに対応する医薬品に対する標識又は非標識抗体を接触させる工程、（４）補体Ｃ１ｑ、抗Ｃ３ｄ抗体又は抗Ｃ１ｑ抗体に結合した医薬品−ＡＤＡｓ免疫複合体を定量する工程。【選択図】なし【特許請求の範囲】
【請求項１】
以下の工程（１）〜（４）を含む、被測定検体中のＡＤＡｓの測定方法。
（１）ＡＤＡｓの被測定検体を含む試料を準備する工程であって、ＡＤＡｓの被測定検体に当該医薬品を添加して、医薬品−ＡＤＡｓ免疫複合体が形成された試料を調製することを含む工程
（２）補体Ｃ１ｑ、抗Ｃ３ｄ抗体又は抗Ｃ１ｑ抗体を固相化した担体に、工程（１）で調製した試料を接触させる工程
（３）工程（２）で作製された固相担体に、前記ＡＤＡｓに対応する医薬品に対する標識又は非標識抗体を接触させる工程
（４）補体Ｃ１ｑ、抗Ｃ３ｄ抗体又は抗Ｃ１ｑ抗体に結合した医薬品−ＡＤＡｓ免疫複合体を定量する工程
【請求項２】
工程（３）において、カルシウムイオンの存在下、ＡＤＡｓに対応する医薬品に対する標識又は非標識抗体を接触させる、請求項１に記載の方法。
【請求項３】
工程（１）において添加する医薬品の量は、被測定検体中のＡＤＡｓに比べて多い請求項１又は２に記載の方法。
【請求項４】
医薬品が抗ＴＮＦα薬である請求項１〜３のいずれか１項に記載の方法。
【請求項５】
医薬品がインフリキシマブ、アダリムマブ、ゴリムマブ又はセルトリズマブ・ペゴールである請求項４に記載の方法。
【請求項６】
医薬品がインフリキシマブ又はアダリムマブである請求項１〜５のいずれか１項に記載の方法。
【請求項７】
工程（３）において用いる医薬品に対する抗体が、標識抗体である請求項１〜６のいずれか１項に記載の方法。
【請求項８】
標識抗体が酵素標識抗体である請求項７に記載の方法。
【請求項９】
被測定検体が医薬品を投与された患者から採取された検体である請求項１〜８のいずれか１項に記載の方法。
【請求項１０】
請求項１〜９のいずれか１項に記載の方法を用いてＡＤＡｓを測定するためのＡＤＡｓの測定キットであって、
補体Ｃ１ｑ、抗Ｃ３ｄ抗体又は抗Ｃ１ｑ抗体を固定化した固相担体、及び当該ＡＤＡｓに対応する医薬品に対する標識又は非標識抗体を含む、測定キット。
【請求項１１】
医薬品に対する抗体が標識抗体である請求項１０に記載の測定キット。
【請求項１２】
当該医薬品を更に含む、請求項１１に記載の測定キット。
【請求項１３】
試料中のＡＤＡｓを測定する方法であって、
ＡＤＡｓの被測定検体に当該医薬品を添加して、医薬品−ＡＤＡｓ免疫複合体が形成された試料を調製する工程と、
前記試料と補体Ｃ１ｑ、抗Ｃ３ｄ抗体又は抗Ｃ１ｑ抗体を接触させる工程と、
前記補体Ｃ１ｑ、抗Ｃ３ｄ抗体又は抗Ｃ１ｑ抗体に結合した医薬品−ＡＤＡｓ免疫複合体を定量する工程と、
を含む方法。
【請求項１４】
前記請求項１３において、
前記定量工程は、前記医薬品に対する標識抗体を用いる、方法。
【発明の詳細な説明】
【技術分野】
【０００１】
本発明は、試料中の抗医薬品抗体（ＡＤＡｓ：anti-drug antibodies）の存在又はレベルを検出する方法に関する。
【背景技術】
【０００２】
抗体医薬品を含む遺伝子組換体によるタンパク製剤などのバイオ医薬品（以降「医薬品」）は、疾患関連分子や受容体に特異的に反応する抗体や物質を人工的に作製し、医薬品としたものである。近年、病因に関わる標的分子などをピンポイントで制御する医薬品を用いた分子標的治療が普及しており、現在、抗体医薬品については日米欧で４７品目が承認されている。そして、その多くは、癌や自己免疫疾患を対象とするもので、治療に欠かせない存在となっている製品も少なくない。
【０００３】
しかしながら、抗体医薬品はヒト化した抗体や物質であっても、患者の免疫応答によりＡＤＡｓが産生され、効果減弱（ＬＯＲ; Loss of response）が発現し、病勢コントロールが難しくなるという問題がある。したがって、当該技術分野では、患者試料中のＡＤＡｓの存在を検出して、医薬品による分子標的療法を監視し及び治療決定を誘導する測定系が必要である。抗体医薬品ではない遺伝子組換体などの医薬品、例えばエリスロポエチン（非特許文献１）や他の医薬品においてもＡＤＡｓ産生によるＬＯＲなどが問題となっている（非特許文献２）。
【０００４】
例えば、ＴＮＦ−αを標的とする抗体医薬品として代表的なインフリキシマブ（ＩＦＸ）の場合、投与後にＩＦＸに対する抗体（ＡＴＩ：antibodies to IFX）が出現するが、このＡＴＩの測定については、従来、ＥＬＩＳＡ法（Enzyme-Linked ImmunoSorbent Assay、酵素結合免疫吸着法）によるｄｏｕｂｌｅ  ａｎｔｉｇｅｎ  ａｓｓａｙによるＡＴＩ測定法（非特許文献３）や、サンプルを前処理して標識ＩＦＸを添加し、ＨＰＬＣを用いるｍｏｂｉｌｉｔｙ  ｓｈｉｆｔ法（非特許文献４）が知られている。
【０００５】
しかしながら、ｄｏｕｂｌｅ  ａｎｔｉｇｅｎ  ａｓｓａｙ法では、固相化したＩＦＸにＡＴＩを捕捉し、これを標識ＩＦＸで検出・測定するものであり、検体中に存在するＩＦＸの影響を受け正確な測定が困難な場合がある。また、ｍｏｂｉｌｉｔｙ  ｓｈｉｆｔ法は、高額な機器であるＨＰＬＣの導入が必要となり、汎用的ではない。
【先行技術文献】
【非特許文献】
【０００６】
【非特許文献１】Casadevall et al., N Engl J Med 2002; 346:469-475
【非特許文献２】Baker et al., Self/Nonself 2010; 1: 314-322
【非特許文献３】Uri Kopylov et al., Inflamm Bowel Dis 2012;18:1628-1633
【非特許文献４】Wang SL et al., J Immunol Methods. 2012 Aug 31;382(1-2):177-88
【発明の概要】
【発明が解決しようとする課題】
【０００７】
本発明は、医薬品による分子標的療法ならびに遺伝子組換サイトカインやホルモンなどの維持投与を受けている患者において出現するＡＤＡｓを、より簡便に且つ正確に測定する方法を提供することに関する。
【課題を解決するための手段】
【０００８】
本発明者らは、斯かる状況に鑑み検討した結果、被測定検体中に存在するＡＤＡｓを、医薬品−ＡＤＡｓ免疫複合体の形で補体Ｃ１ｑ等に捕捉させ、補足された医薬品−ＡＤＡｓ免疫複合体を当該医薬品に対する抗体で検出・測定することにより、検体中のＡＤＡｓを正確に測定できることを見出した。
【０００９】
すなわち、本発明は、以下の〔１〕〜〔１４〕に係るものである。
〔１〕以下の工程（１）〜（４）を含む、被測定検体中のＡＤＡｓの測定方法。
（１）ＡＤＡｓの被測定検体を含む試料を準備する工程であって、ＡＤＡｓの被測定検体に当該医薬品を添加して、医薬品−ＡＤＡｓ免疫複合体が形成された試料を調製することを含む工程
（２）補体Ｃ１ｑ、抗Ｃ３ｄ抗体又は抗Ｃ１ｑ抗体を固相化した担体に、工程（１）で調製した試料を接触させる工程
（３）工程（２）で作製された固相担体に、前記ＡＤＡｓに対応する医薬品に対する標識又は非標識抗体を接触させる工程
（４）補体Ｃ１ｑ、抗Ｃ３ｄ抗体又は抗Ｃ１ｑ抗体に結合した医薬品−ＡＤＡｓ免疫複合体を定量する工程
〔２〕工程（１）において添加する医薬品の量は、被測定検体中のＡＤＡｓに比べて多い〔１〕に記載の方法。
〔３〕（３）工程において、カルシウムイオンの存在下、ＡＤＡｓに対応する医薬品に対する標識又は非標識抗体を接触させる、〔１〕又は〔２〕に記載の方法。
〔４〕医薬品が抗ＴＮＦα薬である〔１〕〜〔３〕のいずれかに記載の方法。
〔５〕医薬品がインフリキシマブ、アダリムマブ、ゴリムマブ又はセルトリズマブ・ペゴールである〔４〕に記載の方法。
〔６〕医薬品がインフリキシマブ又はアダリムマブである〔１〕〜〔３〕のいずれかに記載の方法。
〔７〕工程（３）において用いる医薬品に対する抗体が、標識抗体である〔１〕〜〔６〕のいずれかに記載の方法。
〔８〕標識抗体が酵素標識抗体である〔７〕に記載の方法。
〔９〕被測定検体が医薬品を投与された患者から採取された検体である〔１〕〜〔８〕のいずれかに記載の方法。
〔１０〕〔１〕〜〔９〕のいずれかに記載の方法を用いてＡＤＡｓを測定するためのＡＤＡｓの測定キットであって、
補体Ｃ１ｑ、抗Ｃ３ｄ抗体又は抗Ｃ１ｑ抗体を固定化した固相担体、及び当該ＡＤＡｓに対応する医薬品に対する標識又は非標識抗体を含む、測定キット。
〔１１〕医薬品に対する抗体が標識抗体である〔１０〕に記載の測定キット。
〔１２〕当該医薬品を更に含む、〔１１〕の測定キット。
〔１３〕試料中のＡＤＡｓを測定する方法であって、
ＡＤＡｓの被測定検体に当該医薬品を添加して、医薬品−ＡＤＡｓ免疫複合体が形成された試料を調製する工程と、
前記試料と補体Ｃ１ｑ、抗Ｃ３ｄ抗体又は抗Ｃ１ｑ抗体を接触させる工程と、
前記補体Ｃ１ｑ、抗Ｃ３ｄ抗体又は抗Ｃ１ｑ抗体に結合した医薬品−ＡＤＡｓ免疫複合体を定量する工程と、
を含む方法。
〔１４〕前記〔１２〕において、
前記定量工程は、前記医薬品に対する標識抗体を用いる、方法。
【発明の効果】
【００１０】
本発明の方法によれば、検体中に存在する医薬品の影響を受けることなく、正確に且つ簡便にＡＤＡｓを測定することができる。本発明の方法を用いて当該ＡＤＡｓのモニターを行うことにより、医薬品を用いた分子標的治療などにおける効果減弱発現の有無を確認することができ、より適切な治療が可能となる。
【図面の簡単な説明】
【００１１】
【図１−Ａ】抗体医薬品一覧（国立医薬品食品衛生研究所  生物薬品部  提供資料）。
【図１−Ｂ】ＦＤＡが承認した抗体医薬品以外のバイオ医薬品とそのＡＤＡｓ発現率（Baker et al., Self/Nonself 2010; 1: 314-322, Table 1）。
【図２】ＡＴＩ用量反応曲線（ATI-C1q ELISA）と特異性を示すグラフ。
【図３】検体中のＡＴＩ濃度を示すグラフ。ＩＦＸ（＋）：ＩＦＸ添加、ＩＦＸ（−＋）：ＩＦＸ未添加
【図４】ＡＴＩ用量反応曲線（ATI- Anti C3d MoAb ELISA）と特異性を示すグラフ。
【図５】検体中のＡＴＩ濃度を示すグラフ。ＩＦＸ（＋）：ＩＦＸ添加、ＩＦＸ（−＋）：ＩＦＸ未添加
【図６】ＡＴＡ用量反応曲線（ATA-C1q ELISA）と特異性を示すグラフ。
【図７】検体中のＡＴＡ濃度を示すグラフ；5症例のAdalimumab（ADA）にLORを発現した患者血漿へのADA添加によるATA濃度の上昇。
【図８】ADAs-C1q ELISAにおけるカルシウム（Ca）添加の影響を示すグラフ。（ａ）ICｓ-C1q ELISA測定系、（ｂ）ATI-C1q ELISA測定系、（ｃ）ATI-C1q ELISA用量反応曲線、（ｄ）ATA-C1q ELISA用量反応曲線
【発明を実施するための形態】
【００１２】
本発明において、単に「医薬品」と云う場合、抗体医薬品を含む遺伝子組換体などのバイオ医薬品を指す。
ここで、「抗体医薬品」とは、疾患関連分子に特異的に結合する人工的に作製された抗体を含む医薬品を意味する。その標的分子は、ＴＮＦ−α、ＶＥＧＦ、ＣＤ２０等の細胞表面分子等、様々であり特に限定されないが、ＴＮＦ−αを標的とするものが適する。ＴＮＦ−αを標的とする抗体医薬品としては、インフリキシマブ（infliximab）、アダリムマブ（adalimumab）、ゴリムマブ（golimumab）、セルトリズマブ・ペゴール（certolizumab pegol）が知られており、このうちインフリキシマブが好適である。
また、抗体の種類は、マウス抗体、キメラ型抗体、ヒト化抗体及びヒト抗体の何れであっても良いが、ヒト化抗体又はヒト抗体が好ましい。
【００１３】
平成２８年４月現在で、日米欧で承認されている抗体医薬品を以下に示す。また、その詳細を図１−Ａに示す。また、ＦＤＡが承認した抗体医薬品以外のバイオ医薬品については、図１−Ｂに示す。
ムロモナブ−ＣＤ３（muromonab-CD3）、イブリツモマブ・チウキセタン（ibritumomab tiuxetan）、ヨウ素１３１トシツモマブ（iodine 131 Tositumoma）、カツマキソマブ（catumaxomab）、ブリナツモマブ（blinatumomab）、アブシキシマブ（abciximab）、リツキシマブ（rituximab）、バシリキシマブ（basiliximab）、インフリキシマブ（infliximab）、セツキシマブ（cetuximab）、ブレンツキシマブ・ベドチン（brentuximab vedotin）、シルツキシマブ（siltuximab）、ジヌツキシマブ（dinutuximab）、オビルトキサキシマブ（obiltoxaximab）、ダクリズマブ（daclizumab）、パリビズマブ（palivizumab）、trastuzumab、ゲムツズマブ・オゾガミック（gemtuzumab ozogamic）、アレムツズマブ（alemtuzumab）、オマリズマブ（omalizumab）、エファリズマブ（efalizumab）、ベバシズマブ（bevacizumab）、ナタリズマブ（natalizumab）、トシリズマブ（tocilizumab）、ラニビズマブ（ranibizumab）、エクリズマブ（eculizumab）、セルトリズマブ・ペゴール（certolizumab pegol）、モガムリズマブ（mogamulizumab）、ペルツズマブ（pertuzumab）、トラスツズマブ・エムタンシン（trastuzumab emtansine）、オビヌツズマブ（obinutuzumab）、ベドリズマブ（vedolizumab）、ペンブロリズマブ（pembrolizumab）、イダルシズマブ（idarucizumab）、メポリズマブ（mepolizumab）、エロツズマブ（elotuzumab）、ダラツムマブ（daratumumab）、イクセキズマブ（ixekizumab）、レスリズマブ（reslizumab）、アダリムマブ（adalimumab）、パニツムマブ（panitumumab）、ゴリムマブ（golimumab）、ウステキヌマブ（ustekinumab）、カナキヌマブ（canakinumab）、オファツムマブ（ofatumumab）、デノスマブ（denosumab）、イピリムマブ（ipilimumab）、ベリムマブ（belimumab）、ラキシバクマブ（ｒaxibacumab）、ラムシルマブ（ramucirumab）、ニボルマブ（nivolumab）、セクキヌマブ（secukinumab）、エボロクマブ（evolocumab）、アリロクマブ（alirocumab）、ネシツムマブ（necitumumab）。
【００１４】
本発明において、「ＡＤＡｓ」は、上記抗体医薬品の何れかもしくは図１−Ｂに列挙する抗体医薬品以外のバイオ医薬品をヒトに投与した場合に産生される、当該医薬品を認識する抗体を意味する。
尚、本発明において、「抗体医薬品」と云う場合、特定された１つの抗体医薬品を意味し、この場合のＡＤＡｓは、そのように特定された抗体医薬品に対する抗体を意味する。例えば、「インフリキシマブ（ＩＦＸ）」と、ＡＤＡｓとしてのインフリキシマブに対する抗体（抗インフリキシマブ抗体（ＡＴＩ））が挙げられる。
【００１５】
以下、本発明のＡＤＡｓの測定方法における（１）〜（４）の各工程について説明する。
＜工程−（１）＞
本工程は、ＡＤＡｓの被測定検体を含む試料を準備する工程である。
ここで、被測定検体は、ＡＤＡｓを含む可能性がある検体であり、例えば医薬品を投与された患者から採取された検体である。当該被測定検体としては、好適には、血清又は血漿が挙げられる。
当該検体は、患者から採取された後、本発明の測定に影響を与えない範囲で、適宜、希釈、可溶化、濃縮等の処理がされていてもよい。
【００１６】
ＡＤＡｓは、患者の体内において、医薬品とＡＤＡｓが結合した医薬品−ＡＤＡｓ免疫複合体として、或いは遊離のＡＤＡｓとして存在し得る。本発明においては、ＡＤＡｓの被測定検体に当該医薬品を過剰に添加して、医薬品−ＡＤＡｓ免疫複合体が形成された試料が調製される。これにより、遊離のＡＤＡｓを含めた総ＡＤＡｓを測定することが可能となる。
試料の調製は、具体的には、水系溶媒（例えば、ウシ血清アルブミン（ＢＳＡ）、カゼイン等の蛋白質を適宜添加した酸緩衝液（クエン酸緩衝液、リン酸緩衝液、トリス塩緩衝液、酢酸緩衝液等、ｐＨ約５−９程度）中で、医薬品と検体を混合・攪拌することにより行うことができる。
【００１７】
ここで、医薬品の使用量は、検体中に存在する当該医薬品に対するＡＤＡｓを免疫複合体として回収するために十分な量であればよく、例えば、検体（血清又は血漿）１００μＬに対して２〜１０μｇ、好ましくは３〜５μｇを使用することが挙げられる。
【００１８】
また、反応時間は、通常、１６〜２４時間、好ましくは、１８〜２０時間である。反応時の温度は、好ましくは、４〜１０℃である。
【００１９】
＜工程−（２）＞
本工程は、補体Ｃ１ｑ、抗Ｃ３ｄ抗体又は抗Ｃ１ｑ抗体を固定化した固相担体に、試料中の医薬品−ＡＤＡｓ免疫複合体を捕捉する工程である。
補体Ｃ１ｑ、抗Ｃ３ｄ抗体及び抗Ｃ１ｑ抗体は、何れもヒト流血中の免疫複合体に結合することが知られている分子である。
補体Ｃ１ｑは、１８サブユニット（各６分子ずつのＡ鎖・Ｂ鎖・Ｃ鎖）より構成される約４６２ｋＤａのタンパク質で、補体活性化経路の第１因子Ｃ１の主要構成因子であり、抗原抗体複合体を認識する（Sunyer,J.O. and Lambris,J.D.（1999). Complement. Encyclopedia of Life Sciences）。
【００２０】
Ｃ１ｑは、例えば、血清又は血漿を透析して得られるＣ1ｑ粗精製物溶液をＩｇＧ固定化不溶性担体に接触させた後、当該不溶性担体に吸着したＣ1ｑを分離回収する方法（特開平９−１７８７４５）等、公知の方法によって調製することができる。また、市販のＣ1ｑ（例えば、Ｓｉｇｍａ社のＣａｔ．Ｎｏ．Ｃ１７４０を使用することも可能である。
【００２１】
抗Ｃ１ｑ抗体は、上記Ｃ１ｑを認識する抗体であり、本発明においてはモノクローナル抗体であるのが好ましい。抗Ｃ１ｑモノクローナル抗体は、例えばＡｂＤ  Ｓｅｒｏｔｅｃ社からＭＣＡ２６０３として販売されている。
【００２２】
抗Ｃ３ｄ抗体は、補体Ｃ３ｄを認識する抗体であり、本発明においてはモノクローナル抗体であるのが好ましい。抗Ｃ３ｄモノクローナル抗体は、例えばＡｂＤ  Ｓｅｒｏｔｅｃ社からＣａｔ．Ｎｏ．ＭＣＡ２６４８として販売されている。
【００２３】
Ｃ１ｑ、抗Ｃ３ｄ抗体又は抗Ｃ１ｑ抗体の担体への固相化は、Ｃ１ｑ、抗Ｃ３ｄ抗体又は抗Ｃ１ｑ抗体を通常使用される不溶性、不活性の担体上に固定化することにより行われる。
斯かる担体としては、ポリスチレン、ポリカーボネート、ポリビニルトルエン、ポリプロピレン、ポリエチレン、ポリ塩化ビニル、ナイロン、ポリメタクリレート、ラテックス、ゼラチン、アガロース、セルロース、セファロース、ガラス、金属、セラミックス又は磁性体等の材質よりなるビーズ、マイクロプレート、試験管、スティック又は試験片等の形状の不溶性担体を挙げることができる。
【００２４】
固相化は、担体にＣ１ｑ、抗Ｃ３ｄ抗体又は抗Ｃ１ｑ抗体を、物理的吸着法、化学的結合法又はこれらの併用等の公知の方法を用いて結合させることにより達成することができる。例えば、ＰＢＳ（リン酸緩衝液）のような緩衝液で５〜２０μｇ／ｍＬの濃度に調製したＣ１ｑ溶液、抗Ｃ３ｄ抗体溶液又は抗Ｃ１ｑ抗体溶液を担体と接触させ、４〜１０℃で、１６〜２４時間反応させることにより、Ｃ１ｑ、抗Ｃ３ｄ抗体又は抗Ｃ１ｑ抗体を担体へ固相化することができる。
また、上記反応終了後、通常、担体上の非特異的な結合を抑制するため、ウシ血清アルブミン（ＢＳＡ）、カゼイン等の蛋白質やＴｗｅｅｎ２０等の界面活性剤を含むブロッキング溶液でブロッキング処理を行うことが好ましい。
【００２５】
試料の上記固相担体への接触は、たとえば、４〜１０℃で、１６〜２４時間、反応させることにより行うことができる。
反応終了後は、Ｔｗｅｅｎ  ２０等の界面活性剤を含む緩衝液等を用いて洗浄し、未反応物体が除去される。
【００２６】
＜工程−（３）＞
本工程は、前工程で作製された固相担体に、前記ＡＤＡｓに対応する医薬品に対する標識又は非標識抗体（検出用ＡＤＡｓ）を接触させ、Ｃ１ｑ、抗Ｃ３ｄ抗体又は抗Ｃ１ｑ抗体に結合した医薬品−ＡＤＡｓ免疫複合体と反応させる工程である。
ここで、ＡＤＡｓに対応する医薬品に対する標識又は非標識抗体としては、医薬品（測定対象であるＡＤＡｓに対応する医薬品）を認識する抗体であれば、モノクローナル抗体でもポリクローナル抗体でもよく、これらの抗体は、通常の抗体の作成方法により取得することができる。また、抗体としては、ＩｇＧだけでなく、抗体の断片（例えば、Ｆ（ａｂ'）２フラグメント、Ｆａｂ'フラグメント等）を使用してもよい。
【００２７】
例えば、ポリクローナル抗体は、医薬品を抗原として哺乳動物を免疫感作し、該哺乳動物から血液を採取し、採取した血液から抗体を分離・精製することにより得ることができる。例えば、マウス、ハムスター、モルモット、ニワトリ、ラット、ウサギ、イヌ、ヤギ、ヒツジ、ウシ等の哺乳動物を免疫することができる。抗原投与の方法は当業者に公知であり、投与経路も特に限定されず、皮下投与、皮内投与、腹膜腔内投与、静脈内投与、筋肉内投与等を適宜選択することができる。また、必要に応じてアジュバントを使用することもできる。免疫感作した哺乳動物を適当な期間飼育した後、該哺乳動物の血清を耳静脈等から少量サンプリングし、抗体価を測定する。抗体価が上昇してきたら、状況に応じて抗原を投与して追加免疫を行なってもよい。最後の投与から１〜２ケ月後に免疫動物から通常の方法により血液を採取して、該血液を、例えば遠心分離、硫酸アンモニウムまたはポリエチレングリコールを用いた沈澱、ゲルろ過クロマトグラフィー、イオン交換クロマトグラフィー、アフィニティークロマトグラフィー等のクロマトグラフィー等の通常の方法によって分離・精製することにより、ポリクローナル抗血清として、ポリクローナルＡＤＡｓを得ることができる。
【００２８】
また、モノクローナル抗体は、例えば、抗体産生細胞とミエローマ細胞株との細胞融合によりハイブリドーマを作製することにより取得することができる。抗体産生細胞としては、免疫された動物からの脾細胞、リンパ節細胞、Ｂ リンパ球等を使用することができる。
例えば、免疫動物から抗体産生細胞として脾細胞を取得し、これとミエローマ細胞と公知の方法（G. Kohler e t al., Nature, 256, 495(1975)）により融合することにより、ハイブリドーマを作製することができる。細胞融合に使用するミエローマ細胞株としては、例えばマウスではＰ３Ｘ６３Ａｇ８、Ｐ３Ｕ１株、Ｓｐ２／０株などが挙げられる。細胞融合を行なうに際しては、ポリエチレングリコール、センダイウイルスなどの融合促進剤を用い、細胞融合後のハイブリドーマの選抜にはヒポキサンチン・アミノプテリン・チミジン（ＨＡＴ）培地を常法に従って使用することができる。細胞融合により得られたハイブリドーマは限界希釈法等によりクローニングする。
更に、医薬品を用いた酵素免疫測定法によりスクリーニングを行なうことにより、所望の医薬品を特異的に認識するモノクローナル抗体を産生する細胞株を得ることができる。ハイブリドーマから目的とするモノクローナル抗体を製造するには、通常の細胞培養法や腹水形成法により該ハイブリドーマを培養し、培養上清あるいは腹水から該モノクローナル抗体を精製すればよい。培養上清もしくは腹水からのモノクローナル抗体の精製は、常法により行なうことができる。例えば、硫安分画、ゲルろ過、イオン交換クロマトグラフィー、アフィニティークロマトグラフィーなどを適宜組み合わせて使用できる。
【００２９】
尚、下記表１に示す抗体医薬品については、当該抗体医薬品に対するモノクローナル抗体がAbD Serotec社（Oxford,UK）から市販されており、本発明においては、当該市販品を用いることもできる。
【００３０】
【表１】
2017201310.tif 000002
【００３１】
上記検出用ＡＤＡｓとして、標識体（標識ＡＤＡｓ）を用いる場合の標識子としては、免疫測定法において慣用の各種酵素類、放射性同位元素類、蛍光物質類等を使用することができるが、酵素類を用いるのが好ましい。ここで、酵素類としては、アルカリホスファターゼ（ＡＬＰ）、ペルオキシダーゼ（ＨＲＰ）、β-ガラクトシダーゼ、ウレアーゼ、カタラーゼ、グルコースオキシダーゼ、乳酸脱水素酵素、マイクロパーオキシダーゼ、キモトリプシノーゲン、プロカルボキシペプチダーゼ、グリセロアルデヒド−３−リン酸脱水素酵素、アミラーゼ、ホスホリラーゼ、Ｄ−ナーゼ、Ｐ−ナーゼなどが挙げられる。
また、放射性同位元素類としては、トリチウム、ヨウ素１２５又はヨウ素１３１等が挙げられ、蛍光物質類としては、フルオレセインイソチオシアネート（ＦＩＴＣ）、テトラメチルローダミンイソチオシアネート（ＲＩＴＣ）、置換ローダミンイソチオシアネート、ジクロロトリアジンイソチオシアネート、Ａｌｅｘａ又はＡｌｅｘａＦｌｕｏｒｏ等が挙げられる。
これらの標識物質による標識は、公知の方法に従って実施できる。
【００３２】
固相担体への標識ＡＤＡｓの添加は、標識ＡＤＡｓを、ウシ血清アルブミン（ＢＳＡ）、カゼイン等の蛋白質、Ｔｗｅｅｎ  ２０等の界面活性剤を含むバッファー（例えば、Can Get Signal Solution 2(Cat.No.NKB-301,Toyobo）で希釈して加えるのが好ましい。また、ＡＤＡｓによる免疫複合体中の抗原分子（医薬品）検出感度向上の点から、当該バッファーには、ＣａＣｌ２等のカルシウムイオンを添加することが好ましい。
【００３３】
反応（結合）条件は、特に制限はなく、一般にこの種の測定法で用いられる通常の条件が採用される。一般には４５℃以下、好ましくは室温で、約１−５時間程度行えばよい。
反応終了後は、Ｔｗｅｅｎ  ２０等の界面活性剤を含む緩衝液等を用いて洗浄し、未反応の標識ＡＤＡｓが除去される。
【００３４】
＜工程−（４）＞
本工程は、医薬品−ＡＤＡｓ免疫複合体に結合した、医薬品に対する抗体の量を測定することにより、Ｃ１ｑ、抗Ｃ３ｄ抗体又は抗Ｃ１ｑ抗体に結合した医薬品−ＡＤＡｓ免疫複合体を定量する工程である。
当該医薬品に対する抗体すなわちＡＤＡｓの量の測定は、公知の免疫学的測定法を用いて行うことができる。免疫学的測定法としては、代表的には酵素免疫測定法（ＥＬＩＳＡ法）が挙げられるが、この他に以下の測定法を例示できる。
１．化学発光法:MSD：Electrochemiluminescence was measured on the Sector Imager 6000 instrument (Meso Scale Discovery,Rockville, MD, United States)．
２．イムノクロマト: HMSA(homogeneous mobility shift assay): Agilent Technologies 1200 series HPLC system (Santa Clara, CA). BioSep SEC-3000 column (Phenomenex, Torrance, CA)．
３．BIAcore (Plasmon Resonance): Biacore T100 Immunogenicity Package (GE Healthcare Bio-Sciences GyrosAB, Uppsala Sweden)．
４．蛍光法：
4-1 Gyrolab. Fluorescence was measured on the Gyrolab  Workstation with the Gyrolab Control software (v5.4.0)(GyrosAB, Uppsala, Sweden).
4-2 AlphaLISA. Fluorescence was measured on the Synergy NEO instrument (Biotek, Luzern, Switzerland).
５．ラジオイムノアッセイ（ＲＩＡ）
６．イムノラジオメトリックアッセイ（ＩＲＭＡ）
７．蛍光偏光イムノアッセイ(FPIA;fluorescence polarization immunoassay)
８．免疫比濁法（イムノネフェロメトリー）
９．ラテックス凝集比濁法
１０．ラテックス凝集抑制イムノアッセイ
１１．時間分解蛍光イムノアッセイ(TR-FIA;time-resolved fluorescence immunoassay)
【００３５】
例えば、医薬品に対する抗体として標識抗体を用いる場合は、標識体の量が測定され、標識体の測定は、標識に応じた方法、すなわち、酵素標識であれば酵素活性、放射性標識であれば放射活性、蛍光標識であれば蛍光強度を測定することにより行われる。
例えば標識酵素としてペルオキシダーゼを用いる場合は、基質としてＴＭＢ（３，３'，５，５'−テトラメチルベンジジン）を用いて、またアルカリホスファターゼを用いる場合は、基質としてp-ニトロフェニルホスフェートを用い、各基質の分解を、分光光度計等を用いて測定することができる。
【００３６】
検体中のＡＤＡｓの量は、標準試料において形成された医薬品−ＡＤＡｓ免疫複合体の測定値を基に作成された検量線に基づき、試料中に含まれる医薬品−ＡＤＡｓ免疫複合体の定量値から計算される。
本発明の方法によれば、検体中に存在する、医薬品と結合した状態のＡＤＡｓ及び／又は医薬品と結合していない遊離のＡＤＡｓの何れも測定することができる。
【００３７】
本発明のキットは、少なくともＣ１ｑ、抗Ｃ３ｄ抗体又は抗Ｃ１ｑ抗体を固定化した固相担体、及び当該医薬品に対する標識抗体を含むＡＤＡｓの測定キットである。当該キットは、好適には上述したＡＤＡｓの測定方法を行うためのキットであり得る。
本発明のキットには、さらに本発明の医薬品を含むことができ、必要に応じて、さらに標識物質を検出するための基質他、測定の実施に必要な試薬類、希釈液、緩衝液、洗浄液などが含まれていてもよい。
【００３８】
以上のとおり、本発明は、試料中のＡＤＡｓを、医薬品−ＡＤＡｓ免疫複合体として補足し、検出用のＡＤＡｓを用いて目的の患者由来のＡＤＡｓを定量することを測定原理とする。以下の実施例では、補体Ｃ１ｑ又は抗Ｃ３ｄ抗体を固相化して医薬品−ＡＤＡｓ免疫複合体を補足し、ＥＬＩＳＡ法よってＡＤＡｓを定量することを示すが、Ｃ１ｑもしくは同等の免疫複合体を補足する能力を有する遺伝子組み換え体、補体受容体やモノクローナル抗体などを用いることも可能である。また、免疫学的測定法は、ＥＬＩＳＡ法の他に上述した多岐にわたる免疫測定法、自動分析装置などが使用可能であり、本発明は当該実施例によって限定されるものではない。
【実施例】
【００３９】
実施例１  インフリキシマブ（ＩＦＸ）に対する抗体（ＡＴＩ）の測定＜１＞
＜試薬の調製>
１）PBS（Phosphate buffered saline、リン酸緩衝生理食塩水）；
・PBS（-）：NaCl 137mmol/l, KCl 2.68mmol/l, KHPO4 2mmol/l, NaH2PO4・12H2O 10mmol/l, pH.7.4
・PBS（+）：PBS(-)にCaCl2を0.9mM, MgCl212H2Oを0.33mM加えて調製した。
２）blocking buffer；
PBS(-)に0.5% boiled（5分間煮沸） Casein（Cat.No.C7078, Sigma）, 1% Tween20および 0.01% Thimerosalを添加した。
【００４０】
１．固相化C1q プレートの作製
（１）96 ウエル ELISA用プレート(MaxisorpF8 x12 ,Cat.No.468667,Nunc）にPBS(-)で１0μg/mLの濃度に調製したC1q（Cat.No.C1740, Sigma)を100μLずつ各ウエルに分注し、4℃で一晩静置した。
（２）プレートのC1q溶液を捨て、300μL の0.5％Tween20を含むPBS(-)で、各ウエルを1回洗浄した。
（３）洗浄後、300μLのblocking bufferを加え、室温で1時間反応させる。反応後、液を捨て2時間風乾させて固相化C1qプレートとした。
【００４１】
２．試料の調製
（１）標準試料の調製
１）抗ヒトIgG抗体を抗IFX抗体（ATI）標準試料として代用した。
ウサギ 抗ヒト IgG (H+L) 抗体（Cat.No.ab7155, abcam)を0.1%BSA（Cat.No.A-3803,Sigma）を含有するPBS(+)により5μg/mLの濃度に調製し、さらに0.1%BSA 含有PBS(+)で段階希釈して0.078、0.156、0.312、0.625、1.25、2.5μg/mLの濃度の標準物質を作製した。
２）各濃度の標準物質を200μLずつマイクロチューブに入れ、さらに0.1%BSA 含有PBS(+)で希釈したIFX (62.5μg/mL；田辺三菱製薬)を50μLずつ添加して混和後、4℃で一晩反応させ標準物質（IFX- ATI免疫複合体）とした。
【００４２】
（２）ＩＦＸ溶液の調製
１mg/mLで凍結保存しているIFXを溶解し、0.1%BSA 含有PBS(+)で段階希釈して12.5、25、50、100μg/mLの濃度のIFX溶液を作製した。
【００４３】
（３）凝集ヒトＩｇＧ溶液（HAG-IgG）の調製
ヒトIgG 5mg/mL（I4506、Sigma）を63℃で20分間加温し、10000xgで5分間遠心した上清をとり、凝集ヒトIgGを作製した。この凝集ヒトIgGを0.1%含有PBS(+)で10μg/mLに希釈し、さらに段階希釈して1.25、2.5、5.0、10μg/mLの濃度の凝集ヒトIgG溶液を作製した。
【００４４】
３.免疫学的測定（ATI-C1q ELISA）
（１）固相化C1qプレートのウエルに上記２（１）で調製した標準物質、上記２（２）で調製したIFX溶液、上記２（３）で調製した凝集ヒトIgG溶液をそれぞれ100μLずつ分注し、室温で1時間、プレートミキサーにて撹拌しながら反応させた。
（２）次に反応液を捨て、300μL の0.5％Tween 20（Cat.No. 1706531, BioRad）含有PBS(-)を各ウエル加えた後、液を捨てる。これを4回繰り返してウエルを洗浄した。
（３）HRP標識Human 抗IFX モノクローナル抗体（Cat.No.HCA216P,AbD Serotec)をCan Get Signal Solution 2(Cat.No.NKB-301,Toyobo)で1000倍希釈して100μLずつ各ウエルに加え、室温で1時間、プレートミキサーで撹拌しながら反応させた。
（４）反応後、液を捨て、300μL の0.5％Tween 20含有PBS(-)を各ウエル加えた後、液を捨てる。これを4回繰り返してウエルを洗浄した。
（５）TMB Blue基質液(Cat.No.S1601,Dako)を100μLずつ加え、撹拌し遮光して室温で30分間静置した。
（６)発色後、１N-H2SO4を50μLずつ各ウエルに加えて反応を停止させ、プレートリーダー（96穴プレート用吸光度計）で450nm/650nmの波長で吸光度を測定した。
（７）標準試料の検量線（用量反応曲線）を作成した。
【００４５】
４．結果
ATI 2.5 μg/mLで、吸光度（O.D.）は1.99を示し用量反応曲線はプラトーに達した（図２）。一方、C1qに捕捉される加熱処理して凝集したヒトIgG（HAG-IgG）を10μg/mL、又はIFXを100μg/mLまで添加してもO.D.の明らかな上昇は認められなかった。
よって、当該用量反応曲線（検量線）より、検体の吸光度値から検体中のATI量を特異的に算出することができる。
【００４６】
実施例２  患者血漿中の抗インフリキシマブ抗体（ＡＴＩ）の測定＜１＞
１．試料の調製
（１）抗体医薬品の効果減弱（LOR）を発現した患者から採取された血漿をPBS(+)で4倍希釈し、その200μLをマイクロチューブに分注し、さらに0.1%BSA 含有PBS(+)で希釈したIFX (62.5μg/mL) を50μL、又は0.1%BSA 含有PBS(+)を50μLずつ添加して混和後、4℃で一晩反応させた（最終希釈倍率は5倍）。
【００４７】
（２）5例の健常者の血漿を混和して作製した健常血漿検体を患者検体の調製と同様にPBS(+)で4倍希釈し、その200μLをマイクロチューブに分注し、さらに0.1%BSA 含有PBS(+)で希釈したIFX (62.5μg/mL) を50μL、又は0.1%BSA 含有PBS(+)を50μLずつ添加して混和後、4℃で一晩反応させた（最終希釈倍率は5倍）。
【００４８】
２．免疫学的測定
実施例１と同様にして作製した固相化C1qプレートのウエルに、上記１（１）及び（２）で調製した試料を100μLずつ分注し、実施例１の３（免疫学的測定）で示した方法に従って反応させ、図２で示した検量線より、試料中のATI量を測定した。
【００４９】
３．結果
患者血漿においてはIFX添加により更にIFX-ATI免疫複合体が形成され測定値は上昇し、希釈率に従い測定値は低下した。一方、健常血清検体ではIFX添加・無添加に関わらず、ATIは検出されなかった（図３）。
これより、IFX添加による本発明の方法によれば、患者の血漿中に含まれるIFXと結合しているATI量及び／又はIFXと非結合のATI量を測定することができる。
【００５０】
実施例３  インフリキシマブ（ＩＦＸ）に対する抗体（ＡＴＩ）の測定＜２＞
＜試薬の調製>
１）PBS（Phosphate buffered saline、リン酸緩衝生理食塩水）；
・PBS（-）：NaCl 137mmol/l, KCl 2.68mmol/l, KHPO4 2mmol/l, NaH2PO4・12H2O 10mmol/l, pH.7.4
・PBS（+）：PBS(-)にCaCl2を0.9mM, MgCl212H2Oを0.33mM加えて調製した。
２）blocking buffer；
PBS(-)に0.5% boiled（5分間煮沸） Casein（Cat.No.C7078, Sigma）, 1% Tween20および 0.01% Thimerosalを添加した。
【００５１】
１. 固相化抗Cd3モノクローナル抗体プレートの作製
（１）96 ウエル ELISA用プレート(MaxisorpF8 x12 ,Cat.No.468667,Nunc）にPBS(-)で１μg/mLの濃度に調製した抗Cd3モノクローナル抗体（Anti-C3d MoAb；Cat.No.MCA2648,AbD Serotec)を100μLずつ各ウエルに分注し、4℃で一晩静置した。1回洗浄した。
（２）洗浄後、300μLのblocking bufferを加え、室温で1時間反応させた。反応後、液を捨て2時間風乾させて固相化抗Cd3モノクローナル抗体プレートとした。
【００５２】
２．試料の調製
（１）標準物質（IFX-ATI免疫複合体（ATI-IFX/Sera））の調製
１）凍結保存のIFX 100μg/100μL/tubeと ウサギ抗ヒトIgG(H+L) 抗体 (ATIの代用として)100μg/100μLを混ぜ、4℃で18時間反応させた。
２）反応後、62％の健常者プール血清（生食で希釈）を800μL加えて100μg/mLとし、37℃で60分間反応させた。
３）反応終了後、0.1％BSA/0.01% Thimerosal/PBS(+)で20倍希釈して、5μg/mLの濃度にし、ATI標準液とした。500μL/tubeで分注して-80℃にて凍結保存した。
４）凍結保存のATI標準液(5μg/mL)を融解し、その40μLを取り0.1％BSA/0.01% Thimerosal/PBS(+)を960μL加えて200ng/mLを作製し、さらに段階希釈を繰り返して、0, 3.125, 6.25, 12.5, 25, 50, 100, 200ng/mL濃度の標準物質（ATI-IFX/Sera）を作製した。
【００５３】
（２）ＩＦＸ溶液の調製
１mg/mLで凍結保存しているIFXを溶解し、0.1%BSA 含有PBS(+)で段階希釈して0.1、0.5、１、5、10μg/mLの濃度のIFX溶液を作製した。
【００５４】
（３）凝集ヒトＩｇＧ（HAG-IgG）溶液の調製
ヒトIgG 5mg/mL（I4506、Sigma）を63℃で20分間加温し、10000xgで5分間遠心した上清をとり、凝集ヒトIgGを作製した。この凝集ヒトIgGを0.1%含有PBS(+)で10μg/mLに希釈し、さらに段階希釈して0.1、0.5、１、5、10μg/mLの濃度の凝集ヒトIgG溶液を作製した。
【００５５】
３．免疫学的測定（ATI- Anti C3d MoAb ELISA）
（１）固相化抗Cd3モノクローナル抗体プレートのウエルに標準物質を100μL分注し、室温で1時間、プレートミキサーにて撹拌しながら反応させた。
（２）次に反応液を捨て、300μL の0.5％Tween 20（Cat.No. 1706531, BioRad）含有PBS(-)を各ウエル加えた後、液を捨てた。これを4回繰り返してウエルを洗浄した。
（３）HRP標識Human 抗IFX モノクローナル抗体（Cat.No.HCA216P,AbD Serotec)をCan Get Signal Solution 2(Cat.No.NKB-301,Toyobo)で1000倍希釈して100μLずつ各ウエルに加え、室温で1時間、プレートミキサーで撹拌しながら反応させた。
（４）反応後、液を捨て、300μL の0.5％Tween 20含有PBS(-)を各ウエル加えた後、液を捨てた。これを4回繰り返してウエルを洗浄した。
（５）洗浄後、100μLのTMB Blue基質液(Cat.No.S1601,Dako)を各ウエルに加え、室温で15~30分間、遮光して反応させた。
（６)発色後、50μLの1.0M H2SO4を加えて反応を停止し、プレートリーダー（96穴プレート用吸光度計）で450nm/650nmの2波長で吸光度を測定した。
（７）標準物質の検量線（用量反応曲線）を作成した。
【００５６】
４．結果
ATI 200ng/mLで吸光度（O.D.）は2.1と最大値となる用量反応曲線を示した。一方、C3dが結合する加熱処理して凝集したヒトIgG（HAG-IgG）を10μg/mLもしくは、IFXを10μg/mLまで添加してもO.D.の明らかな上昇を認めなかった（図４）。
【００５７】
実施例４  患者血漿中の抗インフリキシマブ抗体（ＡＴＩ）の測定＜２＞
１．試料の調製
IFX維持療法にLORを発現した潰瘍性大腸炎患者の血漿120μLに0.1％BSA/0.01% Thimerosal/PBS(+)を360μL加えて4倍希釈し、その200μLずつ2本のマイクロチューブに分注、さらに0.1％BSA/0.01% Thimerosal/PBS(+)で調製したIFX (125μg/mL) を50μL、又は0.1％BSA/0.01% Thimerosal/PBS(+)を50μL添加して混和し、4℃で一晩反応させた（希釈倍率１０〜４０倍）。
【００５８】
２．免疫学的測定
実施例３と同様にして作製した固相化抗Cd3モノクローナル抗体プレートのウエルに、上記１で調製した試料を100μLずつ分注し、実施例３の３（免疫学的測定）で示した方法に従って反応させ、図４で示した検量線より、試料中のATI量を測定した。
【００５９】
３．結果
患者血漿はIFX添加により更にIFX免疫複合体形成が促進され測定値は上昇し、希釈率に従い測定値は低下した（図５）。
【００６０】
実施例５  アダリムマブに対する抗体（ATA）の測定＜１＞
＜試薬の調製>
１）PBS（Phosphate buffered saline、リン酸緩衝生理食塩水）；
・PBS（-）：NaCl 137mmol/l, KCl 2.68mmol/l, KHPO4 2mmol/l, NaH2PO4・12H2O 10mmol/l, pH.7.4
・PBS（+）：PBS(-)にCaCl2を0.9mM, MgCl212H2Oを0.33mM加えて調製した。
２）blocking buffer；
PBS(-)に0.5% boiled（5分間煮沸） Casein（Cat.No.C7078, Sigma）, 1% Tween20および 0.01% Thimerosalを添加した。
３）Diluent ;
PBS(+)に0.1%BSAと0.01% Thimerosalを添加して調製した。
【００６１】
１．固相化C1q プレートの作製
（１）96 ウエル ELISA用プレート(MaxisorpF8 x12 ,Cat.No.468667,Nunc）にPBS(-)で１0μg/mLの濃度に調製したC1q（Cat.No.C1740, Sigma)を100μLずつ各ウエルに分注し、4℃で一晩静置した。
（２）プレートのC1q溶液を捨て、300μL の0.5％Tween20を含むPBS(-)で、各ウエルを1回洗浄した。
（３）洗浄後、300μLのblocking bufferを加え、室温で1時間反応させる。反応後、液を捨て2時間風乾させて固相化C1qプレートとした。
【００６２】
２．試料の調製
（１）標準試料の調製
１）抗ヒトIgG抗体を抗ADA抗体（ATA）標準試料として代用した。
ウサギ 抗ヒト IgG (H+L) 抗体（Cat.No.ab7155, abcam)をDiluentにより400ng/mLの濃度に調製し、さらにDiluentで段階希釈して6.25, 12.5, 25, 50, 100, 200, 400ng/mLの濃度の標準物質を作製した。
２）各濃度の標準物質を200μLずつマイクロチューブに入れ、さらにDiluentで希釈したAdalimumab (ADA,125μg/mL；エーザイ)を50μLずつ添加して混和後、4℃で一晩反応させ標準物質（ATA-ADA免疫複合体）とした。
（２）Adalimumab溶液及びIFX溶液の調製
１mg/mLで凍結保存しているIFX及びAdalimumabを溶解し、Diluentで段階希釈して1.25, 2.5, 5, 10, 20, 40μg/mLの濃度のIFX溶液とAdalimumab溶液を作製した。
（３）凝集ヒトＩｇＧ溶液（HAG-IgG）の調製
ヒトIgG 5mg/mL（I4506、Sigma）を63℃で20分間加温し、10000xgで5分間遠心した上清をとり、凝集ヒトIgGを作製した。この凝集ヒトIgGをDiluentで40μg/mLに希釈し、さらに段階希釈して1.25, 2.5, 5, 10, 20, 40μg/mLの濃度の凝集ヒトIgG溶液を作製した。
【００６３】
３.免疫学的測定（ATA-C1q ELISA）
（１）固相化C1qプレートのウエルに上記２（１）で調製した標準物質をそれぞれ100μLずつ分注し、25℃で2時間、プレートミキサーにて撹拌しながら反応させた。
（２）次に反応液を捨て、300μL の0.5％Tween 20（Cat.No. 1706531, BioRad）含有PBS(-)を各ウエル加えた後、液を捨てる。これを4回繰り返してウエルを洗浄した。
（３）HRP標識Human抗Adalimumab モノクローナル抗体（Cat.No.HCA204P,AbD Serotec)をCanGet Signal Solution 2(Cat.No.NKB-301,Toyobo)で2000倍希釈して100μLずつ各ウエルに加え、室温で1時間、プレートミキサーで撹拌しながら反応させた。
（４）反応後、液を捨て、300μL の0.5％Tween 20含有PBS(-)を各ウエル加えた後、液を捨てる。これを4回繰り返してウエルを洗浄した。
（５）TMB Blue基質液(Cat.No.S1601,Dako)を100μLずつ加え、撹拌し遮光して室温で30分間静置した。
（６)発色後、１N-H2SO4を50μLずつ各ウエルに加えて反応を停止させ、プレートリーダー（96穴プレート用吸光度計）で450nm/650nmの波長で吸光度を測定した。
（７）標準試料の検量線（用量反応曲線）を作成した。
【００６４】
４．結果
ATA 200ng/mLで、吸光度（O.D.）は1.863 を示し用量反応曲線はプラトーに達した（図６）。一方、C1qに捕捉される加熱処理して凝集したヒトIgG（HAG-IgG）を40μg/mL、又はIFXもしくはAdalimumabを40μg/mLまで添加してもO.D.の明らかな上昇は認められなかった。
よって、当該用量反応曲線（検量線）より、検体の吸光度値から検体中のATA量を特異的に算出することができる。
【００６５】
実施例６  患者血漿中の抗Adalimumab抗体（ＡＴＡ）の測定＜２＞
１．試料の調製
Adalimumab（ADA）維持療法に対しLORを発現した炎症性腸疾患患者（５例）の血漿120μLにDiluentを360μL加えて4倍希釈し、その200μLずつ2本のマイクロチューブに分注、さらにDiluentで調製したAdalimumab (125μg/mL) を50μL、又はDiluentを50μL添加して混和し、4℃で一晩反応させた（最終希釈倍率：５倍）。
【００６６】
２．免疫学的測定
実施例５と同様にして作製した固相化C1qプレートのウエルに、上記１で調製した試料を100μLずつ分注し、実施例５の３（免疫学的測定）で示した方法に従って反応させ、図６で示した検量線より、試料中のATA量を測定した。
【００６７】
３．結果
5例のADAに対しLORを発現した患者血漿においてはADA添加により更にADA-ATA免疫複合体が形成され、非添加に比べ測定値は有意（P=0.0063）に上昇した（図７）。
これより、Adalimumab添加による本発明の方法によれば、患者の血漿中に含まれるADAと結合しているATA量及び／又はADAと非結合のATA量を測定することができる。
【００６８】
実施例７  ADAs-C1q ELISAにおけるカルシウム（Ca）添加の影響
７−１．ADAs-C1q ELISA測定系におけるカルシウム添加の影響
＜試薬の調製>
１）PBS（Phosphate buffered saline、リン酸緩衝生理食塩水）；
・PBS（-）：NaCl 137mmol/l, KCl 2.68mmol/l, KHPO4 2mmol/l, NaH2PO4・12H2O 10mmol/l, pH.7.4
２）blocking buffer；
PBS(-)に0.5% boiled（5分間煮沸） Casein（Cat.No.C7078, Sigma）, 1% Tween20および 0.01% Thimerosalを添加した。
３）Diluent ;
PBS(-)に0.1%BSAと0.01% Thimerosalを添加して調製した。
４）CaCl2添加Diluent ;
CaCl2をDiluentに0.3、0.6、0.9mMになるように添加して調製した。
【００６９】
１．固相化C1q プレートの作製
（１）96 ウエル ELISA用プレート(MaxisorpF8 x12 ,Cat.No.468667,Nunc）にPBS(-)で１0μg/mLの濃度に調製したC1q（Cat.No.C1740, Sigma)を100μLずつ各ウエルに分注し、4℃で一晩静置した。これをATIおよびATA測定用ELISAプレートとした。一方、比較対照としてHeyらの方法（非特許文献5）に従う固相化C1q プレートを用いる免疫複合体の測定には5μg/mLの濃度のC1qを同様に固相化した。
（２）プレートのC1q溶液を捨て、300μL の0.5％Tween20を含むPBS(-)で、各ウエルを1回洗浄した。
（３）洗浄後、300μLのblocking bufferを加え、室温で1時間反応させる。反応後、液を捨て2時間風乾させて固相化C1qプレートとした。
【００７０】
２．試料の調製
（１）標準試料の調製
抗ヒトIgG抗体を抗IFX抗体（ATI）標準試料として代用した。
ウサギ 抗ヒト IgG (H+L) 抗体（Cat.No.ab7155, abcam)を50μLとり、IFX（1mg/mL）を100μL加えてさらにPBS(-)を850μL加えて１ｍLとし、4℃で一晩反応させた。反応後、その5μLずつを各濃度のCaCl２を添加したDiluentを995μL加えて200倍してATI 500ng/mLの濃度を作製した。
（２）加熱凝集ヒトＩｇＧ溶液（HAG-IgG）の調製
ヒトIgG 4mg/mL（I4506、Sigma）を63℃で20分間加温し、10000xgで5分間遠心した上清をとり、凝集ヒトIgGを作製した。この凝集IgGを10μLとり、PBS(-)を990μL加えて40μg/mLの濃度を作製する。これを5μLずつとり、
各濃度のCaCl2添加Diluentを995μL加えて200倍して200ng/mLのHAG-IgGを調製した。
【００７１】
３.免疫学的測定  
（A）固相化C1q法による免疫複合体（Immune Complexes：ICｓ）ELISAとCa濃度
（１）固相化C1qプレートのウエルに上記２（2）で調製したHAG-IgG溶液（200ng/mL）それぞれ100μLずつ分注し、25℃で1時間、プレートミキサーにて撹拌しながら反応させた。
（２）次に反応液を捨て、300μL の0.5％Tween 20（Cat.No. 1706531, BioRad）含有PBS(-)を各ウエル加えた後、液を捨てる。これを4回繰り返してウエルを洗浄した。
（３）HRP標識抗ヒトIgGヤギ抗体（ab81202, abcam）を0.5％Tween 20含有PBS(-)に0.5% Caseinを添加した溶液で16000倍希釈して100μLずつ各ウエルに加え、25℃で1時間、プレートミキサーで撹拌しながら反応させた。
（４）反応後、液を捨て、300μL の0.5％Tween 20含有PBS(-)を各ウエル加えた後、液を捨てる。これを4回繰り返してウエルを洗浄した。
（５）TMB Blue基質液(Cat.No.S1601,Dako)を100μLずつ加え、撹拌し遮光して室温で30分間静置した。
（６)発色後、１N-H2SO4を50μLずつ各ウエルに加えて反応を停止させ、プレートリーダー（96穴プレート用吸光度計）で450nm/650nmの波長で吸光度を測定した。
【００７２】
(B)ATI-C1q ELISAとCa濃度
（１）固相化C1qプレートのウエルに上記２（１）で調製したATI標準物質（500ng/mL）をそれぞれ100μLずつ分注し、25℃で2時間、プレートミキサーにて撹拌しながら反応させた。
（２）次に反応液を捨て、300μL の0.5％Tween 20（Cat.No. 1706531, BioRad）含有PBS(-)を各ウエル加えた後、液を捨てる。これを4回繰り返してウエルを洗浄した。
（３）HRP標識Human抗Infliximab モノクローナル抗体（Cat.No.HCA216P,AbD Serotec)をCan Get Signal Solution 2(Cat.No.NKB-301,Toyobo)で1000倍希釈して100μLずつ各ウエルに加え、25℃で1時間、プレートミキサーで撹拌しながら反応させた。
（４）反応後、液を捨て、300μL の0.5％Tween 20含有PBS(-)を各ウエル加えた後、液を捨てる。これを4回繰り返してウエルを洗浄した。
（５）TMB Blue基質液(Cat.No.S1601,Dako)を100μLずつ加え、撹拌し遮光して室温で30分間静置した。
（６)発色後、１N-H2SO4を50μLずつ各ウエルに加えて反応を停止させ、プレートリーダー（96穴プレート用吸光度計）で450nm/650nmの波長で吸光度を測定した。
【００７３】
４．結果
HAG-IgG 200ng/mLの測定にCaCl2を添加しても、吸光度の上昇はあまり明らかではなかった（図8−A）。一方、標準試料500ng/mLとするATI-C1q ELISAの測定系にCaCl2を添加すると濃度依存的に吸光度が上昇し、0.6mMの濃度でプラトーに達した（図8−B）。よって、ATI-C1q ELISAの測定系にCaCl2を添加することで、測定系の高感度化および安定化が期待された。
【００７４】
７−２．ADAs-C1q ELISA用量反応曲線に対するCa添加の影響
＜１＞ATI-C1q ELISA用量反応曲線とCa添加
１．試料の調製
標準試料の調製
ウサギ 抗ヒト IgG (H+L) 抗体（2mg/mL,Cat.No.ab7155, abcam)を10μLとり、IFX（1mg/mL）を20μL加えてさらにDiluentもしくは0.6ｍM CaCl2添加Diluentを470μL加えて、2種類のDiluentの溶液を4℃で一晩反応させた。
反応後、500μLの各Diluentを加えて、20μg/mLの濃度を作製し、その100μLをとり、900μLの各Diluentを加えて、2μg/mLの濃度を作製した。これを500μLとり、各Diluentで段階希釈して31.25, 62.5, 125, 250, 500, 1000, 2000ng/mLの濃度の標準物質を作製した。
【００７５】
２．免疫学的測定
前述の「７−１」の「１．固相化C1qプレートの作成」と同様に作製した固相化C1qプレートのウエルに、上記１で調製した試料を100μLずつ分注し、実施例７の３（免疫学的測定）で示した方法に従って反応させ、標準試料の吸光度を測定した。
【００７６】
３．結果
測定系のDiluentに0.6mM CaCl2の添加によって非添加に比べ、用量反応曲線の吸光度が１.５〜４倍の値を示し、感度が上昇した（図８−C）。
【００７７】
＜２＞ATA-C1q ELISA用量反応曲線とCa添加
１．試料の調製
標準試料の調製
抗ヒトIgG抗体を抗adalimumab抗体（ATA）標準試料として代用した。
ウサギ 抗ヒト IgG (H+L) 抗体（2mg/mL,Cat.No.ab7155, abcam)を10μLとり、adalimumab（1mg/mL）を20μL加えてさらにDiluentもしくは0.6ｍM CaCl2添加Diluentを470μL加えて、2種類のDiluentの溶液を4℃で一晩反応させた。
反応後、500μLの各Diluentを加えて、20μg/mLの濃度を作製し、その10μLをとり、990μLの各Diluentを加えて、200ng/mLの濃度を作製した。これを500μLとり、各Diluentで段階希釈して1.56, 3.125, 6.25, 12.5, 25, 50, 100ng/mLの濃度の標準物質を作製した。
【００７８】
２．免疫学的測定
前述の「７−１」の「１．固相化C1qプレートの作成」と同様に作製した固相化C1qプレートのウエルに、上記１で調製した試料を100μLずつ分注し、実施例５の３（免疫学的測定）で示した方法に従って反応させ、標準試料の吸光度を測定した。
【００７９】
３．結果
測定系のDiluentに0.6mM CaCl2の添加によって非添加に比べ、吸光度が２〜４倍の値を示し、感度が上昇した（図８−D）。
【図１−Ａ】
2017201310.tif 000003
【図１−Ｂ】
2017201310.tif 000004
【図２】
2017201310.tif 000005
【図３】
2017201310.tif 000006
【図４】
2017201310.tif 000007
【図５】
2017201310.tif 000008
【図６】
2017201310.tif 000009
【図７】
2017201310.tif 000010
【図８】
2017201310.tif 000011